【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  原発性および／または転移性の胃癌または食道癌を伴う疑いがある個体を原発性および／または転移性の胃癌または食道癌の細胞についてスクリーニングするインビトロ方法であって、個体からの腸外組織および／または体液の試料を検査して、該試料中の細胞がＧＣＣを発現しているか判定する工程を含み、その際、ＧＣＣの発現は試料中に原発性および／または転移性の胃癌または食道癌の細胞がある可能性を指示するものである方法。
【請求項２】  細胞によるＧＣＣの発現を、ＧＣＣ遺伝子転写生成物の存在を検出することにより判定する、請求項１に記載の方法。
【請求項３】  細胞によるＧＣＣの発現を、試料とＧＣＣ遺伝子転写体またはそれから形成されたｃＤＮＡを選択的に増幅するプライマーとを接触させるポリメラーゼ連鎖反応により判定する、請求項１に記載の方法。
【請求項４】  細胞によるＧＣＣの発現を、試料とＧＣＣ遺伝子翻訳生成物に特異的に結合する抗体とを接触させる免疫アッセイにより判定する、請求項１に記載の方法。
【請求項５】  試料が体液である、請求項１に記載の方法。
【請求項６】  試料が血液である、請求項１に記載の方法。
【請求項７】  試料がリンパ組織および／またはリンパ液である、請求項１に記載の方法。
【請求項８】  試料がリンパ節試料である、請求項１に記載の方法。
【請求項９】  個体が胃癌または食道癌を伴うと予め診断されている、請求項１に記載の方法。
【請求項１０】  個体が胃癌または食道癌を伴うと以前に診断され、かつそれに対する処置を受けたことがある、請求項１に記載の方法。
【請求項１１】  原発性および／または転移性の胃癌または食道癌を伴う疑いがある個体を原発性および／または転移性の胃癌または食道癌の細胞についてスクリーニングするインビトロ方法であって、個体からの腸外組織および／または体液の試料を検査して、該試料中にＧＣＣ遺伝子転写または翻訳生成物が存在するか判定する工程を含み、その際、該試料中のＧＣＣ遺伝子転写または翻訳生成物の存在はその個体が試料中に原発性および／または転移性の胃癌または食道癌の細胞を有する可能性を指示するものである方法。
【請求項１２】  個体からの腸外組織および／または体液の試料を検査して、該試料中にＧＣＣ遺伝子転写生成物が存在するか判定する工程を含む、請求項１０に記載の方法。
【請求項１３】  ＧＣＣ遺伝子転写生成物の存在を、試料とＧＣＣ遺伝子転写体またはそれから形成されたｃＤＮＡを選択的に増幅するプライマーとを接触させるポリメラーゼ連鎖反応により判定する、請求項１２に記載の方法。
【請求項１４】  ＧＣＣ遺伝子翻訳生成物の存在を、試料とＧＣＣ遺伝子翻訳生成物に特異的に結合する抗体とを接触させる免疫アッセイにより判定する、請求項１１に記載の方法。
【請求項１５】  試料が体液である、請求項１１に記載の方法。
【請求項１６】  試料が血液である、請求項１１に記載の方法。
【請求項１７】  試料がリンパ組織および／またはリンパ液である、請求項１１に記載の方法。
【請求項１８】  試料がリンパ節試料である、請求項１１に記載の方法。
【請求項１９】  個体が胃癌または食道癌を伴うと以前に診断されたことがある、請求項１１に記載の方法。
【請求項２０】  個体が胃癌または食道癌を伴うと以前に診断され、かつそれに対する処置を受けたことがある、請求項１１に記載の方法。
【請求項２１】  胃癌または食道癌の細胞を有する疑いがある患者から採取した腫瘍細胞が胃または食道の腫瘍細胞であることを確認するインビトロ方法であって、腫瘍細胞がＧＣＣを発現するか判定する工程を含み、その際、ＧＣＣの発現は該腫瘍細胞が胃または食道の腫瘍細胞であることを指示するものである方法。
【請求項２２】  腫瘍細胞によるＧＣＣの発現を、ＧＣＣ遺伝子転写生成物の存在の検出により判定する、請求項２１に記載の方法。
【請求項２３】  腫瘍細胞によるＧＣＣの発現を、腫瘍細胞からのｍＲＮＡまたはそれから形成されたｃＤＮＡとＧＣＣ遺伝子転写体またはそれから形成されたｃＤＮＡを選択的に増幅するプライマーとを接触させるポリメラーゼ連鎖反応により判定する、請求項２１に記載の方法。
【請求項２４】  腫瘍細胞によるＧＣＣの発現を、腫瘍細胞からのタンパク質とＧＣＣ遺伝子翻訳生成物に特異的に結合する抗体とを接触させる免疫アッセイにより判定する、請求項２１に記載の方法。
【請求項２５】  胃癌を伴う個体の診断方法であって、胃組織の試料を検査してＧＣＣ転写体または翻訳生成物の存在を検出する工程を含み、その際、胃試料中におけるＧＣＣ転写体または翻訳生成物の存在は胃癌を指示するものである方法。
【請求項２６】  胃組織の試料を検査して該試料中にＧＣＣ遺伝子転写生成物が存在するか判定する工程を含む、請求項２５に記載の方法。
【請求項２７】  ＧＣＣ遺伝子転写生成物の存在を、試料とＧＣＣ遺伝子転写体またはそれから形成されたｃＤＮＡを選択的に増幅するプライマーとを接触させるポリメラーゼ連鎖反応により判定する、請求項２６に記載の方法。
【請求項２８】  ＧＣＣ遺伝子翻訳生成物の存在を、試料とＧＣＣ遺伝子翻訳生成物に特異的に結合する抗体とを接触させる免疫アッセイにより判定する、請求項２６に記載の方法。
【請求項２９】  食道癌を伴う個体の診断方法であって、食道組織の試料を検査してＧＣＣ転写体または翻訳生成物の存在を検出する工程を含み、その際、食道試料中におけるＧＣＣ転写体または翻訳生成物の存在は食道癌を指示するものである方法。
【請求項３０】  食道組織の試料を検査して該試料中にＧＣＣ遺伝子転写生成物が存在するか判定する工程を含む、請求項２９に記載の方法。
【請求項３１】  ＧＣＣ遺伝子転写生成物の存在を、試料とＧＣＣ遺伝子転写体またはそれから形成されたｃＤＮＡを選択的に増幅するプライマーとを接触させるポリメラーゼ連鎖反応により判定する、請求項３０に記載の方法。
【請求項３２】  ＧＣＣ遺伝子翻訳生成物の存在を、試料とＧＣＣ遺伝子翻訳生成物に特異的に結合する抗体とを接触させる免疫アッセイにより判定する、請求項２９に記載の方法。
【請求項３３】  胃癌および／または食道癌を伴う個体を診断するための、下記のいずれかを含むキット：
ａ）ＧＣＣ遺伝子転写体またはそれから形成されたｃＤＮＡを選択的に増幅するポリメラーゼ連鎖反応プライマーを含む容器；
ならびに下記のうち１以上：
陽性ＰＣＲアッセイ対照試料を含む容器、
陰性ＰＣＲアッセイ対照試料を含む容器、
試料を入手および／または処理するための指示書、
ＰＣＲ診断アッセイを実施するための指示書、ならびに
ＰＣＲ診断アッセイの陽性結果および／または陰性結果を表わす写真または図；
あるいは
ｂ）ＧＣＣ遺伝子翻訳生成物に特異的に結合する抗体を含む容器；
ならびに下記のうち１以上：
陽性免疫アッセイ対照試料を含む容器、
陰性免疫アッセイ対照試料を含む容器、
試料を入手および／または処理するための指示書、
免疫診断アッセイを実施するための指示書、ならびに
免疫診断アッセイの陽性結果および／または陰性結果を表わす写真または図。
【請求項３４】  原発性および／または転移性の胃癌または食道癌に罹患している疑いがある個体を処置するための医薬組成物であって、
ｉ）ＳＴ受容体リガンド；および
ｉｉ）有効物質
を含む有効量の組成物を含む前記医薬組成物。
【請求項３５】  ＳＴ受容体リガンドが有効物質にコンジュゲートしている、請求項３４に記載の医薬組成物。
【請求項３６】  有効物質が、メトトレキセート、ドキソルビシン、ダウノルビシン、シトシンアラビノシド、エトポシド、５−４フルオロウラシル、メルファラン、クロラムブシル、シスプラチン、ビンデシン、マイトマイシン、ブレオマイシン、ピューロチオニン、マクロモマイシン、１，４−ベンゾキノン誘導体、トレニモン、リシン、リシンＡ鎖、シュードモナス外毒素、ジフテリア毒素、クロストリジウム・パーフリンジェンスホスホリパーゼＣ、ウシ膵臓リボヌクレアーゼ、アメリカヤマゴボウ抗ウイルスタンパク質、アブリン、アブリンＡ鎖、コブラ毒因子、ゲロニン、サポリン、モデッシン、ビスキュミン、ボルケンシン、アルカリ性ホスファターゼ、ニトロイミダゾール、メトロニダゾール、ミソニダゾール、
【化１】
2003528628.tif 000001
よりなる群から選択される、請求項３４に記載の医薬組成物。
【請求項３７】  原発性および／または転移性の胃癌または食道癌の細胞のラジオイメージング方法であって、検出可能な物質に結合したＳＴ受容体リガンドを含む組成物を個体に投与する工程を含む方法。
【請求項３８】  検出可能な物質が
【化２】
2003528628.tif 000002
よりなる群から選択される、請求項３７に記載の方法。